(57)【要約】【課題】本発明は、収納家具や書庫等の取り付け対象物の前面側から簡略容易に取り付け施工を実施することができ、しかも、取り付け対象物側の種類を問わず、取り付け対象物側の格別な仕様も不要で極めて汎用性に優れたスライドボードセットを提供するものである。【解決手段】本発明に係るスライドボードセットは、四角形状の前面開口を有する収納家具２へ取り付けるスライドボードセット１であって、上ブラケット１１、下ブラケット２１、上レール３１及び下レール４１の各部品を収納家具２の前面から各々ねじ止めにて取付け固定可能とし、前記上レール３１の二つのボード用凹陥部３４と、下レール４１の二つの突条４３との間に前後配置に、かつ、着脱・スライド可能にホワイトボード仕様の二枚のボード６１、６２を装着する構成としたものである。【選択図】図６
2015101934.tif 000002
【特許請求の範囲】
【請求項１】
四角形状の前面開口を有する取り付け対象物へ取り付けるスライドボードセットであって、
所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する上片前端面に所定の間隔を持って各取り付け片を添着し取り付け対象物の前面側からネジ止め固定することで、各レール支持片を前記端縁部から各々前方に突出状態として固定支持する複数個の上ブラケットと、
所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する下片前端面に所定の間隔を持って各取り付け片を添着し取り付け対象物の前面側からネジ止め固定することで、各レール支持片を前記端縁部から各々前方に突出状態に、かつ、前記上ブラケットの各レール支持片と対向配置に固定支持する複数個の下ブラケットと、
取り付け対象物の幅寸法に対応した寸法の長さを有する細長板状で平坦な上ブラケット用添着片を具備し、この上ブラケット用添着片から下向きに所定の間隔で、かつ、全長にわたって複数の突片を平行配置に突設し、当該各突片間に平行配置で、かつ、全長にわたって単数又は複数のボード用凹陥部を形成するとともに、前記各ボード用凹陥部を下向きとして上ブラケットのレール支持片に添着し、前記ボード用凹陥部の下側から上ブラケット用添着片の下面側にねじ込んだネジにより前記レール支持片にネジ止め固定する上レールと、
取り付け対象物の幅寸法に対応した寸法の長さを有する耐荷重強化構造で平坦な下ブラケット用添着片を具備し、この下ブラケット用添着片の上面側に前記単数又は複数のボード用凹陥部に対向する平行な単数又は複数の突条を下ブラケット用添着片の長さ方向全体にわたって突設するとともに、底面側を前記下ブラケットのレール支持片に添着し、上面側からねじ込んだネジにより前記下ブラケットのレール支持片にネジ止め固定する下レールと、
前記上レールのボード用凹陥部と、下レールの突条との間に着脱・スライド可能に装着され、取り付け対象物の前面開口領域を開閉するホワイトボード仕様の単数枚又は複数枚のボードと、
を有することを特徴とするスライドボードセット。
【請求項２】
四角形状の前面開口を有する書庫等の取り付け対象物へ取り付けるスライドボードセットであって、
所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する上片前端面に所定の間隔を持って各取り付け片を添着し取り付け対象物の前面側からネジ止め固定することで、各レール支持片を前記端縁部から各々前方に突出状態として固定支持する複数個の上ブラケットと、
所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する下片前端面に所定の間隔を持って各取り付け片を添着し取り付け対象物の前面側からネジ止め固定することで、各レール支持片を前記端縁部から各々前方に突出状態に、かつ、前記上ブラケットの各レール支持片と対向配置に固定支持する複数個の下ブラケットと、
取り付け対象物の幅寸法に対応した寸法の長さを有する細長板状で平坦な上ブラケット用添着片を具備し、この上ブラケット用添着片の前縁、中央部、後縁から三つの突片を各々下向き平行配置に所定の間隔で、かつ、全長にわたって突設し、当該三つの突片間に平行配置で、かつ、全長にわたって二つのボード用凹陥部を形成するとともに、前記二つのボード用凹陥部を下向きとして上ブラケットのレール支持片に添着し、前記ボード用凹陥部の下側から上ブラケット用添着片の下面側にねじ込んだネジにより前記レール支持片にネジ止め固定する上レールと、
取り付け対象物の幅寸法に対応した寸法の長さを有する耐荷重強化構造で平坦な下ブラケット用添着片を具備し、この下ブラケット用添着片の上面側に前記二つのボード用凹陥部に対向する平行な二つの突条を下ブラケット用添着片の長さ方向全体にわたって突設するとともに、底面側を前記下ブラケットのレール支持片に添着し、上面側からねじ込んだネジにより前記下ブラケットのレール支持片にネジ止め固定する下レールと、
前記上レールの二つのボード用凹陥部と、下レールの二つの突条との間に、前後配置に、かつ、着脱・スライド可能に装着されて、取り付け対象物の前面開口領域を開閉するホワイトボード仕様の二枚のボードと、
を有することを特徴とするスライドボードセット。
【請求項３】
四角形状の前面開口を有する書庫等の取り付け対象物へ取り付けるスライドボードセットであって、
所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する上片前端面に所定の間隔を持って各取り付け片を添着し取り付け対象物の前面側からネジ止め固定することで、各レール支持片を前記端縁部から各々前方に突出状態として固定支持する複数個の上ブラケットと、
所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する下片前端面に所定の間隔を持って各取り付け片を添着し取り付け対象物の前面側からネジ止め固定することで、各レール支持片を前記端縁部から各々前方に突出状態に、かつ、前記上ブラケットの各レール支持片と対向配置に固定支持する複数個の下ブラケットと、
取り付け対象物の幅寸法に対応した寸法の長さを有する細長板状で平坦な上ブラケット用添着片を具備し、この上ブラケット用添着片の前縁、後縁から二つの突片を各々下向き平行配置に所定の間隔で、かつ、全長にわたって突設し、当該二つの突片間に平行配置で、かつ、全長にわたって一つのボード用凹陥部を形成するとともに、前記一つのボード用凹陥部を下向きとして上ブラケットのレール支持片に添着し、前記ボード用凹陥部の下側から上ブラケット用添着片の下面側にねじ込んだネジにより前記レール支持片にネジ止め固定する上レールと、
取り付け対象物の幅寸法に対応した寸法の長さを有する耐荷重強化構造で平坦な下ブラケット用添着片を具備し、この下ブラケット用添着片の上面側に前記一つのボード用凹陥部に対向する一つの突条を下ブラケット用添着片の長さ方向全体にわたって突設するとともに、底面側を前記下ブラケットのレール支持片に添着し、上面側からねじ込んだネジにより前記下ブラケットのレール支持片にネジ止め固定する下レールと、
前記上レールのボード用凹陥部と、下レールの突条との間に、着脱・スライド可能に装着されて、取り付け対象物の前面開口領域を開閉するホワイトボード仕様の一枚のボードと、
を有することを特徴とするスライドボードセット。
【請求項４】
前記上レールは、上ブラケット用添着片から下向きに突設した３列のボード用凹陥部を、前記下レールは下ブラケット用添着片に３列の突条を備え、前記３列のボード用凹陥部と３列の突条との間に前記取り付け対象物の前面開口領域を開閉する３枚並列のボードを各々着脱・スライド可能に装着したことを特徴とする請求項１に記載のスライドボードセット。
【請求項５】
前記上レールは、上ブラケット用添着片から下向きに突設した２列のボード用凹陥部を、前記下レールは下ブラケット用添着片に２列のボード用凹陥部を備え、前記２列のボード用凹陥部と２列の突条との間に、前側２枚、後側２枚の配置で前記取り付け対象物の前面開口領域を開閉する４枚のボードを各々着脱・スライド可能に装着したことを特徴とする請求項１に記載のスライドボードセット。
【請求項６】
前記各ボードを施錠状態又は開錠状態とする錠及び鍵を備えることを特徴とする請求項１、２、３、４又は５のいずれかに記載のスライドボードセット。
【発明の詳細な説明】
【技術分野】
【０００１】
本発明は、スライドボードセットに関し、詳しくは、収納家具や書庫等の取り付け対象物の前面側から簡略容易に取り付け施工を実施することができ、しかも、取り付け対象物側の種類を問わず、取り付け対象物側の格別な仕様も不要で極めて汎用性に優れたスライドボードセットに関するものである。
【背景技術】
【０００２】
従来、スチール製又は木製の収納家具や書庫等のような取り付け対象物における前面開口領域を利用し、単なる前面扉に替えてホワイトボード仕様のボードを取り付け、ホワイトボード兼用収納家具又はホワイトボード兼用書庫として、ボード面に文字、図形、表等を記載することで業務管理や講義内容記載、会議の議事録作成等の便宜を図るようにすることが行われている。
【０００３】
従来におけるこの種のボードの取り付け対象物に対する取り付け態様について、図１２及び図１３を参照して説明する。
【０００４】
（取り付け態様１）
図１２は、取り付け態様１を示すものであり、下段収納家具１２２、上段収納家具１２１の二段重ねの家具に適用したものである。
【０００５】
この取り付け態様１においては、ホワイトボード仕様のボード１１１の上端部に設けた上部ローラ１１２を転動させるための上レール１０１に取り付け片１０２を一体に設けて、この取り付け片１０２を例えば上段収納家具１２１の前端側上面に添着し固着して、上レール１０１を前記上段収納家具１２１の上縁部に沿って固定配置している。
【０００６】
また、前記ボード１１１の下端部に設けた下部ローラ１１３を転動させるための下レール１０３は、上段収納家具１２１の前端側下縁部に沿って固着するようにしている。
【０００７】
この場合、前記上レール１０１の取り付け片１０２の上段収納家具１２１に対する固着方法は、上段収納家具１２１の前端側上方から取り付け片１０２を貫通させたネジ１０４を上段収納家具１２１にねじ込むことにより行うものである。
【０００８】
しかしながら、このような取り付け態様１の場合、上段収納家具１２１の前面側からのみでは上レール１０１を取り付けることができないとともに、上段収納家具１２１の上面と、その上方の天井にある程度の空間が必要であるため、上レール１０１の施工作業に必要な空間が無いような場合には、上段収納家具１２１を一旦床面等に下ろし、上レール１０１を取り付けた後、再度上段収納家具１２１を下段収納家具１２２上に設置しなければならないという煩雑な作業が必要であった。
【０００９】
また、前記上段収納家具１２１上に更にランマ収納家具１２３が設置してあるような場合、上述した場合と同様、一旦ランマ収納家具１２３を下ろし、上段収納家具１２１の上面を開放状態として上レール１０１を取り付けた後、再度ランマ収納家具を元に戻すといった作業が必要であった。
【００１０】
更にまた、取り付け態様１の場合、取り付け片１０２を上段収納家具１２１の前端側上面に添着する構造であるため、ランマ収納家具１２３を平坦状態に保つためのスペーサー１２４が必要になるという問題もあった。
【００１１】
（取り付け態様２）
図１３は取り付け態様２を示すものであり、ホワイトボード仕様のボード１１１の上端部に設けた上部ローラ１１２を転動させるための上レール１０１と、この上レール１０１を固定支持するための上ブラケット１０５とを別体に設けて、同様にボード１１１の下端部に設けた凹溝部１１４をスライドさせるための突条１０３ａを設けた下レール１０３と、この下レール１０３を固定支持するための下ブラケット１０６と別体に設けている。
【００１２】
そして、上ブラケット１０５を収納家具１２５の上縁前面部の下側に添着してネジ１０７を用いてねじ止め固着し、同様に下ブラケット１０６を収納家具１２５の下縁前面部の上側に添着してネジ１０７を用いてねじ止め固着し、上ブラケット１０５により上レール１０１を、下ブラケット１０６により下レール１０３を各々固定支持する構成としたものである。
【００１３】
しかしながら、この取り付け態様２の場合、収納家具１２５の前面側からの上ブラケット１０５、下ブラケット１０６の取り付けは必ずしも容易ではないとともに、収納家具１２５として、上ブラケット１０５、下ブラケット１０６を取り付けるための格別の仕様が必要となるため、仕様の異なる種々の収納家具に対応させることは困難で、汎用性に欠けるという問題があった。
【００１４】
特許文献１には、収納家具等における本体前面の上部と下部とに、前後に複数の案内部をそれぞれ備えた上ガイドレールと下ガイドレールとを、当該本体の間口方向に沿設して、前記上下ガイドレール間に筆記板乃至掲示板をなすボードを引き違い状に設け、この一対のボードの上部又は下部には、前記上ガイドレール又は下ガイドレールの案内溝間に向かって突出する突起部を設ける一方、前記上ガイドレール又は下ガイドレールの案内溝内には、前記突起部に干渉する弾性片付き移動規制体を固定した収納家具等におけるボードの移動規制装置が提案されている。
【００１５】
しかし、この特許文献１の場合も、上述した取り付け態様２の場合と同様に、収納家具等における本体前面の上部と下部に対する上ガイドレールと下ガイドレールの取り付けは、既述した場合と同様な上ブラケット、下ブラケットを用いて行う構成であり、収納家具の前面側からの上ブラケット、下ブラケットの取り付けは必ずしも容易ではなく、収納家具として格別の仕様が必要となるため、仕様の異なる種々の収納家具に対応させることは困難で、汎用性に欠けるという問題があった。
【先行技術文献】
【特許文献】
【００１６】
【特許文献１】特開平１１−１３７３６１号公報
【発明の概要】
【発明が解決しようとする課題】
【００１７】
本発明が解決しようとする問題点は、天井との間の空間が無い場合や上段家具が設置されているような場合においても、収納家具等の取り付け対象物の前面側から簡略容易に取り付け施工を実施することができ、しかも、取り付け対象物側の種類を問わず、取り付け対象物側の格別な仕様も不要で極めて汎用性に優れるスライドボードセットが存在しない点である。
【課題を解決するための手段】
【００１８】
本発明に係るスライドボードセットは、四角形状の前面開口を有する取り付け対象物へ取り付けるスライドボードセットであって、所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する上片前端面に所定の間隔を持って各取り付け片を添着し取り付け対象物の前面側からネジ止め固定することで、各レール支持片を前記端縁部から各々前方に突出状態として固定支持する複数個の上ブラケットと、所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する下片前端面に所定の間隔を持って各取り付け片を添着し取り付け対象物の前面側からネジ止め固定することで、各レール支持片を前記端縁部から各々前方に突出状態に、かつ、前記上ブラケットの各レール支持片と対向配置に固定支持する複数個の下ブラケットと、取り付け対象物の幅寸法に対応した寸法の長さを有する細長板状で平坦な上ブラケット用添着片を具備し、この上ブラケット用添着片から下向きに所定の間隔で、かつ、全長にわたって複数の突片を平行配置に突設し、各突片間に平行配置で、かつ、全長にわたって単数又は複数のボード用凹陥部を形成するとともに、前記各ボード用凹陥部を下向きとして上ブラケットのレール支持片に添着し、前記ボード用凹陥部の下側から上ブラケット用添着片の下面側にねじ込んだネジにより前記レール支持片にネジ止め固定する上レールと、取り付け対象物の幅寸法に対応した寸法の長さを有する耐荷重強化構造で平坦な下ブラケット用添着片を具備し、この下ブラケット用添着片の上面側に前記単数又は複数のボード用凹陥部に対向する平行な単数又は複数の突条を下ブラケット用添着片の長さ方向全体にわたって突設するとともに、底面側を前記下ブラケットのレール支持片に添着し、上面側からねじ込んだネジにより前記下ブラケットのレール支持片にネジ止め固定する下レールと、前記上レールのボード用凹陥部と、下レールの突条との間に着脱・スライド可能に装着され、取り付け対象物の前面開口領域を開閉するホワイトボード仕様の単数又は複数のボードと、を有することを最も主要な特徴とする。
【発明の効果】
【００１９】
請求項１記載の発明によれば、天井との間の空間が無い場合や上段家具が設置されているような場合においても、新設、既設を問わず収納家具等の取り付け対象物の前面側から簡略容易に取り付け施工を実施することができ、しかも、取り付け対象物側の種類を問わず、また取り付け対象物側の格別な仕様も不要で極めて汎用性に優れたスライドボードセットを実現し提供することができる。
【００２０】
請求項２記載の発明によれば、上レールの二つのボード用凹陥部と、下レールの二つの突条との間に前後配置に、かつ、着脱・スライド可能に装着され、取り付け対象物の前面開口領域を開閉するホワイトボード仕様の二枚のボードを備える構成の基に、請求項１記載の発明と同様、天井との間の空間が無い場合や上段家具が設置されているような場合においても、新設、既設を問わず収納家具等の取り付け対象物の前面側から簡略容易に取り付け施工を実施することができ、しかも、取り付け対象物側の種類を問わず、また取り付け対象物側の格別な仕様も不要で極めて汎用性に優れたスライドボードセットを実現し提供することができる。
【００２１】
請求項３記載の発明によれば、上レールのボード用凹陥部と、下レールの突条との間に着脱・スライド可能に装着され、取り付け対象物の前面開口領域を開閉するホワイトボード仕様の一枚のボードを備える構成の基に、請求項１記載の発明と同様、天井との間の空間が無い場合や上段家具が設置されているような場合においても、新設、既設を問わず収納家具等の取り付け対象物の前面側から簡略容易に取り付け施工を実施することができ、しかも、取り付け対象物側の種類を問わず、また取り付け対象物側の格別な仕様も不要で極めて汎用性に優れたスライドボードセットを実現し提供することができる。
【００２２】
請求項４記載の発明によれば、上ブラケット用添着片から下向きに突設した３列のボード用凹陥部を、前記下レールは下ブラケット用添着片に３列の突条を備え、前記３列のボード用凹陥部と３列の突条との間に前記取り付け対象物の前面開口領域を開閉する３枚並列のボードを各々着脱・スライド可能に装着したボード３枚構成の基に、請求項１記載の発明と同様、天井との間の空間が無い場合や上段家具が設置されているような場合においても、新設、既設を問わず収納家具等の取り付け対象物の前面側から簡略容易に取り付け施工を実施することができ、しかも、取り付け対象物側の種類を問わず、また取り付け対象物側の格別な仕様も不要で極めて汎用性に優れたスライドボードセットを実現し提供することができる。
【００２３】
請求項５記載の発明によれば、上レールに上ブラケット用添着片から下向きに突設した２列のボード用凹陥部を、前記下レールに下ブラケット用添着片に２列の突条を備え、前記２列のボード用凹陥部と２列の突条との間に、前側２枚、後側２枚の配置で前記取り付け対象物の前面開口領域を開閉する４枚のボードを各々着脱・スライド可能に装着したボード４枚構成の基に、請求項１記載の発明と同様、天井との間の空間が無い場合や上段家具が設置されているような場合においても、新設、既設を問わず収納家具等の取り付け対象物の前面側から簡略容易に取り付け施工を実施することができ、しかも、取り付け対象物側の種類を問わず、また取り付け対象物側の格別な仕様も不要で極めて汎用性に優れたスライドボードセットを実現し提供することができる。
【００２４】
請求項６記載の発明によれば、請求項１、２、３、４又は５のいずれかに記載の発明のスライドボードセットにおいて、夫々の側端部が重合する各ボードを施錠状態又は開錠状態とする錠及び鍵を備えることから、請求項１、２、４又は５のいずれかに記載の発明の効果を奏するとともに、収納家具等のような取り付け対象物に収納した書類等のセキュリティ性を確保することもできるスライドボードセットを実現し提供することができる。
【図面の簡単な説明】
【００２５】
【図１】図１は本発明の実施例に係るスライドボードセット及びこのスライドボードセットを取り付けた収納家具を示す正面図である。である。
【図２】図２は本実施例に係るスライドボードセット及びこのスライドボードセットを取り付けた収納家具を示す部分平面図である。
【図３】図３は本実施例に係るスライドボードセット及びこのスライドボードセットを取り付けた収納家具を示す部分底面図である。
【図４】図４は本実施例に係るスライドボードセット及びこのスライドボードセットを取り付けた収納家具を示す側面図である。
【図５】図５は図１のＡ−Ａ線概略断面である。
【図６】図６は図１のＢ−Ｂ線概略断面である。
【図７】図７は図４のＣ−Ｃ線概略断面である。
【図８】図８は本実施例に係るスライドボードセットにおける収納家具に対する上ブラケット、下ブラケットの取り付け状態を示す概略部分斜視図である。
【図９】図９は本実施例に係るスライドボードセットにおける収納家具に対する上ブラケットと上レール、下ブラケットと下レールの取り付け状態を示す概略部分斜視図である。
【図１０】図１０は本実施例に係るスライドボードセットにおける上ブラケット、下ブラケットを収納家具に取り付けた状態を示す正面図である。
【図１１】図１１は本実施例に係るスライドボードセットにおけるレール持ち出し量と、従来例のレール持ち出し量との比較を示す概略説明図である。
【図１２】図１２は従来の上段収納家具に対する上レール、下レールの取り付け態様１を示す概略図である。
【図１３】図１３は従来の従来の収納家具に対する上ブラケット、上レール、及び下ブラケット、下レールの取り付け態様２を示す概略図である。
【発明を実施するための形態】
【００２６】
本発明は、天井との間の空間が無い場合や上段家具が設置されているような場合においても、収納家具等の取り付け対象物の前面側から簡略容易に取り付け施工を実施することができ、しかも、取り付け対象物側の格別な仕様も不要で極めて汎用性に優れたスライドボードセットを提供するという目的を、四角形状の前面開口を有する書庫等の取り付け対象物へ取り付けるスライドボードセットであって、所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する上片前端面に所定の間隔を持って各取り付け片を添着し取り付け対象物の前面側からネジ止め固定することで、各レール支持片を前記端縁部から各々前方に突出状態として固定支持する複数個の上ブラケットと、所定長さの平坦な取り付け片と、この取り付け片の一方の長さ方向に沿う端縁部から直角配置に突出した前記取り付け片と一体の平坦なレール支持片とを各々具備し、取り付け対象物の前面開口領域を画する下片前端面に所定の間隔を持って各取り付け片を添着し取り付け対象物の前面側からネジ止め固定することで、各レール支持片を前記端縁部から各々前方に突出状態に、かつ、前記上ブラケットの各レール支持片と対向配置に固定支持する複数個の下ブラケットと、取り付け対象物の幅寸法に対応した寸法の長さを有する細長板状で平坦な上ブラケット用添着片を具備し、この上ブラケット用添着片の前縁、中央部、後縁から三つの突片を各々下向き平行配置に所定の間隔で、かつ、全長にわたって突設し、三つの突片間に平行配置で、かつ、全長にわたって二つのボード用凹陥部を形成するとともに、前記二つのボード用凹陥部を下向きとして上ブラケットのレール支持片に添着し、前記ボード用凹陥部の下側から上ブラケット用添着片の下面側にねじ込んだネジにより前記レール支持片にネジ止め固定する上レールと、取り付け対象物の幅寸法に対応した寸法の長さを有する耐荷重強化構造で平坦な下ブラケット用添着片を具備し、この下ブラケット用添着片の上面側に前記二つのボード用凹陥部に対向する平行な二つの突条を下ブラケット用添着片の長さ方向全体にわたって突設するとともに、底面側を前記下ブラケットのレール支持片に添着し、上面側からねじ込んだネジにより前記下ブラケットのレール支持片にネジ止め固定する下レールと、前記上レールの二つのボード用凹陥部と、下レールの二つの突条との間に前後配置に、かつ、着脱・スライド可能に装着され、取り付け対象物の前面開口領域を開閉するホワイトボード仕様の二つのボードと、を有する構成により実現した。
【実施例】
【００２７】
以下、本発明の実施例に係るスライドボードセット１について図１乃至図１０を参照して詳細に説明する。
【００２８】
本実施例に係るスライドボードセット１は、四角形状の前面開口を有する例えば直方体状の取り付け対象物であるスチール製又は木製の収納家具２へ前面側からのみ取り付け可能に構成したものである。
【００２９】
本実施例に係るスライドボードセット１は、所定長さの平坦な取り付け片１２と、この取り付け片１２の一方の長さ方向に沿う端縁部から直角配置に突出した前記取り付け片１２と一体の平坦なレール支持片１３とを具備し、全体としてＬ形状に形成した金属製の複数個、例えば３個の上ブラケット１１と、所定長さの平坦な取り付け片２２と、この取り付け片２２の一方の長さ方向に沿う端縁部から直角配置に突出した前記取り付け片２２と一体の平坦なレール支持片２３とを具備し、全体としてＬ形状に形成した金属製の複数個、例えば３個の下ブラケット２１と、を有している。
【００３０】
そして、図８、図１０に示すように、例えば３個の上ブラケット１１を用い、収納家具２の前面開口領域を画する上片３の前端面に所定の間隔を持って、例えば、上片３の前端面の左隅近傍、中央、右隅近傍に各取り付け片１２を添着し、収納家具２の前面側から皿ネジ５１を用いてネジ止め固定することで、各上ブラケット１１の各レール支持片１３を前記端縁部から各々前方に突出状態として固定支持するように構成している。
同様に、図８、図１０に示すように、例えば３個の下ブラケット２１を用い、収納家具２の前面開口領域を画する下片４の前端面に所定の間隔を持って、例えば、下片４の前端面の左隅近傍、中央、右隅近傍に各取り付け片２２を添着し、収納家具２の前面側から皿ネジ５１を用いてネジ止め固定することで、各レール支持片２３を前記端縁部から各々前方に突出状態に、かつ、前記上ブラケット１１の各レール支持片１３と上下対向配置に固定支持するように構成している。
【００３１】
本実施例に係るスライドボードセット１は、更に、前記収納家具２の幅寸法に対応した寸法の長さを有する細長板状で平坦な上ブラケット用添着片３２を具備し、この上ブラケット用添着片３２の長さ方向の前縁、中央部、後縁から三つの突片３３を各々下向き平行配置に所定の間隔で、かつ、全長にわたって一体に突設し、三つの突片３３間に平行配置で、かつ、全長にわたって二つのボード用凹陥部３４を形成したアルミ押し出し材（色彩シルバー）等の金属製の上レール３１と、
【００３２】
前記収納家具２の幅寸法に対応した寸法の長さを有する耐荷重強化構造で平坦な下ブラケット用添着片４２を具備し、この下ブラケット用添着片４２の上面側に前記二つのボード用凹陥部３４に対向する平行な二つの突条４３を下ブラケット用添着片４２の長さ方向全体にわたって突設したアルミ押し出し材（色彩シルバー）等の金属製の下レール４１と、を有している。
【００３３】
そして、図９に示すように、上レール３１の前記二つのボード用凹陥部３４を下向きとして上ブラケット１１のレール支持片１３に添着し、前記ボード用凹陥部３４の下側から上ブラケット用添着片３２の下面側にねじ込んだトラスネジ５２によりこの上レール３１を前記各上ブラケット１１のレール支持片１３に各々ネジ止め固定するように構成している。
【００３４】
同様に、図９に示すように、下レール４１の下ブラケット用添着片４２の底面側を前記下ブラケット２１のレール支持片２３に添着し、上面側からねじ込んだトラスネジ５２により前記レール支持片２３にネジ止め固定するように構成している。
【００３５】
前記上レール３１の前縁側の突片３３には、図６に示すように、前記レール支持片１３の前端面を覆うように前記上ブラケット用添着片３２より上方に突出した上向き突出片部３３ａを一体に具備し、前記上レール３１の後縁側の突片３３には、上ブラケット１１の取り付け片１２の下端面を覆うように屈曲させた突出片部３３ｂを一体に具備している。
【００３６】
前記下レール４１の平坦な下ブラケット用添着片４２は、図６に示すように、前記突条４３を下ブラケット用添着片４２の長さ方向全体にわたって突設した平坦な上片部４２ａと、前記下ブラケット２１に添着する平坦な下片部４２ｂと、上片部４２ａ、下片部４２ｂの前縁側、後縁側を所定の間隔を持った平行状態に各々連結し中空領域を形成する前片部４２ｃ及び後片部４２ｄと、を具備している。
【００３７】
前記前片部４２ｃは、前記突条４３と同方向に突出させた上向き突出片部４２ｃ１、及び前記下ブラケット２１のレール支持片２３の端面を覆うように下向きに突出させた下向き突出片部４２ｃ２を一体に備え、前記後片部４２ｄは、前記下ブラケット２１の取り付け片２３に接合させるとともに取り付け片２３の上端面を覆うように屈曲させた突出片部４２ｄ１を一体に備えている。
【００３８】
また、前記下ブラケット用添着片４２における上片部４２ａ、下片部４２ｂ、前片部４２ｃ及び後片部４２ｄが画する中空領域４４を形成し、前記下レール４１自体を耐荷重強化構造としている。
【００３９】
前記上レール３１の両側端面には、上レールキャップ３５が、下レール４１の両側端面には、下レールキャップ４５が各々取り付けられるようになっている。
【００４０】
前記上レール３１の二つのボード用凹陥部３４と、下レール４１の二つの突条４３との間に前後配置に、かつ、各々着脱・スライド可能に二つのボード、すなわち、表面ホワイトボード仕様の前右用のボード６１、後左用のボード６２を装着し、収納家具２の前面開口領域をこれらボード６１、ボード６２のスライドにより開閉する構成している。
【００４１】
すなわち、前記ボード６１、６２は、各々ボード本体６３の上端側に前記上レール３１のボード用凹陥部３４に嵌装されるスライド嵌装体６４を一体に具備し、下端側には前記下レール４１の突条４３に係合させこの突条４３上を滑動させる凹溝部付滑動体６５を一体に具備している。
【００４２】
そして、図１に示すように、前右用のボード６１を最も右側にスライドさせ、後左用のボード６２を最も左側にスライドさせた図１の状態、すなわち、ボード６１、ボード６２の拡開状態で、ボード６１、ボード６２の左右端部分が前後に重合する部分の例えば下部位置には、図１、図６等に示すように、錠７１、鍵７２を配置し、収納家具２の前面開口領域をボード６１、ボード６２に閉塞し、かつ、錠７１により施錠して収納家具２内のセキュリティ性を確保した状態と、その施錠状態を解除しボード６１、ボード６２を自由にスライド可能とした状態とに切り変えるように構成している。
【００４３】
前記ボード６１の仕上がり仕様に言及すると、（ａ）前記ボード６１における文字等の筆記面を形成する表面材６６としてアルミホーロー鋼板：色彩白色、（ｂ）サイドカバー６７としてアルミ押し出し材：色彩シルバー、（ｃ）建枠６８としてアルミ押し出し材：取っ手用凹溝部付き：色彩シルバー、（ｄ）コーナーキャップ６９としてＰＯＭ樹脂材：色彩シルバー等の例を挙げることができる。
【００４４】
前記ボード６２の仕上がり仕様についても前記ボード６１の場合と同様である。
【００４５】
図７に示すように、前記上レール３１には弾性ゴム部７４を含むストッパー体７３が取り付けられ、前記上レール３１のボード用凹陥部３４に嵌装されるボード６１におけるスライド嵌装体６４の端面を定位置で規制し、前右用のボード６１が収納家具２の図１において右側へ飛び出さないように構成している。後左用のボード６２についても、同様である。
更に、図６に示すように、前記上レール３１のボード用凹陥部３４内には、前右用のボード６１用の外れ防止金具７５を配置している。
【００４６】
上述した本実施例のスライドボードセット１によれば、前記上ブラケット１１、下ブラケット２１、上レール３１及び下レール４１の各部品を収納家具２の前面から各々取付け固定できるため、スライドボードセット１の施工の際、収納家具２の上段に別の収納家具やランマ収納家具等が載置されているような場合でも、これらを一旦床面上に下ろす必要は無くなり、大幅な作業軽減を図ることが可能となる。
【００４７】
特に書類等が既に収納されている収納家具２に施工する場合には、当該収納家具２を下ろすための書類等の出し入れも必要無くなり、本実施例のスライドボードセット１の施工が極めて簡略容易となる。
【００４８】
また、本実施例のスライドボードセット１の場合には、取り付け対象物側の種類を問わず、取り付け対象物である収納家具側に格別の構造的仕様を必要とすることなく、すなわち、収納家具が従来例のような専用品である必要はなく、この収納家具の前面側から前記各部品を簡略なねじ止め作業で取り付けることができ極めて汎用性が高いスライドボードセット１を実現することができる。
本実施例のスライドボードセット１の具体的利点について説明すると、図１１の比較図に示すように、ボード６１、６２の上端部、下端部のいずれにもローラ等の回転部品を用いていないので、ボード６１、６２の厚さｔを、図１１の左欄（図１２に示す構造に対応）に示すボード１１１に比較し、約４０％薄くすることが可能となる。また、収納家具２と後左側のボード６２との位置関係、及び後左側のボード６２と前右側のボード６１との位置関係を見直すことで、図１１に示すレール持ち出し量Ｌ０を従来例の場合の持ち出し量Ｌ１に比較し約２０％小さくすることも可能となる。
【００４９】
更に、前記下レール４１に耐荷重強化構造を採用している。
【００５０】
この結果、収納家具２に取り付けた前記下レール４１のボード６１、６２の重量による荷重を従来例より小さくすることができ、耐荷重性も万全となり、収納家具２の前面開口領域におけるボード６１、６２のスライド操作性の確保と安全性の確保とを実現することができる。
【００５１】
上述した実施例においては、スライドボードセット１として、収納家具２の前面開口領域に２枚のボード６１、６２をスライドさせる構成について説明したが、この他、前記上レールの上ブラケット用添着片に下向きに突設した３列のボード用凹陥部３４を、前記下レール４１の下ブラケット用添着片４２に３列の突条４３を備え、前記３列のボード用凹陥部３４と３列の突条４３との間に、収納家具２の幅の略１／３の幅を有する３枚並列のボードを各々着脱・スライド可能に装着する構成としたり、前記上レール３１の上ブラケット用添着片３４に下向きに突設した２列のボード用凹陥部３４を、前記下レール４１の下ブラケット用添着片４２に２列の突条４３を備え、前記２列のボード用凹陥部３４と２列の突条４３との間に、収納家具２の幅の略１／４の幅を有する４枚のボードを前側２枚、後側２枚の配置で各々着脱・スライド可能に装着する構成としたりすることもでき、ボード用凹陥部３４、突条４３、ボードの枚数は収納家具２の幅寸法に応じて種々に選定できる。
【産業上の利用可能性】
【００５２】
本発明のスライドボードセットは、新設、既設を問わず、また、スチール家具、木製家具の別を問わず、また取り付け対象物側の種類を問わず各種のサイズの収納家具に広範に汎用性高く適用可能である。
【符号の説明】
【００５３】
１    スライドボードセット
２    収納家具
３    上片
４    下片
１１    上ブラケット
１２    取り付け片
１３    レール支持片
２１    下ブラケット
２２    取り付け片
２３    レール支持片
３１    上レール
３２    上ブラケット用添着片
３３    突片
３３ａ  上向き突出片部
３３ｂ  突出片部
３４    ボード用凹陥部
３５    上レールキャップ
４１    下レール
４２    下ブラケット用添着片
４２ａ  上片部
４２ｂ  片部
４２ｃ  前片部
４２ｃ１突出片部
４２ｃ２突出片部
４２ｄ  後片部
４２ｄ１突出片部
４３    突条
４４    中空領域
４５    下レールキャップ
５１    皿ネジ
５２    トラスネジ
６１    ボード
６２    ボード
６３    ボード本体
６４    スライド嵌装体
６５    凹溝部付滑動体
６６    表面材
６７    サイドカバー
６８    建枠
６９    コーナーキャップ
７１    錠
７２    鍵
７３    ストッパー体
７４    弾性ゴム部
７５    抜け止め防止金具
【図１】
2015101934.tif 000003
【図２】
2015101934.tif 000004
【図３】
2015101934.tif 000005
【図４】
2015101934.tif 000006
【図５】
2015101934.tif 000007
【図６】
2015101934.tif 000008
【図７】
2015101934.tif 000009
【図８】
2015101934.tif 000010
【図９】
2015101934.tif 000011
【図１０】
2015101934.tif 000012
【図１１】
2015101934.tif 000013
【図１２】
2015101934.tif 000014
【図１３】
2015101934.tif 000015